(57)【特許請求の範囲】
【請求項１】
ワイヤで乗員に連結することで非常時に電源をオフすることのできるランヤードスイッチ付きメインスイッチを備え、補機類やエンジンを制御する制御部などに電源を供給する小型艇の電源システムにおいて、
この電源システムは、前記補機類やエンジン制御部へ供給する電源をオン・オフするメインリレーと、このメインリレーを制御するために前記メインスイッチに接続されたメータのコントロールユニットとを備え、
前記メインスイッチのオン・オフ状態を前記メータのコントロールユニットで監視し、前記オン・オフ状態に基づいて前記メインリレーをオン・オフ制御するとともに、
前記メータのコントロールユニットは、前記メインスイッチがオン状態からオフ状態に変わったときに、
前記エンジン制御部へ瞬時に前記停止信号を出力し、この停止信号に基づいて前記エンジン制御部でエンジンを停止させるとともに、前記メインスイッチのオフ状態が所定時間内である場合に、前記メインリレーのオン状態を維持して前記エンジン制御部の電源はオン状態を維持するようにしたことを特徴とする小型艇の電源システム。
【請求項２】
前記コントロールユニットは、小型艇の運転情報又は艇体情報を表示する表示装置の構成部品であり、前記メインスイッチがオン状態からオフ状態に変わったときから所定の時間経過後に前記コントロールユニット及び前記メインリレーを同時にオン状態からオフ状態に切換えることを特徴とする請求項１記載の小型艇の電源システム。
【発明の詳細な説明】
【０００１】
【発明の属する技術分野】
本発明は、ワイヤで乗員に連結することで非常時に電源をオフすることのできるランヤードスイッチを備え、燃料噴射装置等の補機類などに電源を供給し制御するようにした小型艇の電源システムに関する。
【０００２】
【従来の技術】
小型艇の電源システムとして、例えば特開平９−１６９２９８号公報「小型船舶の始動装置」が知られている。
上記技術は、同公報の図２及び図３によれば、ゲージパネル６に制御手段Ｅを設け、ゲージパネル６に速度計や回転計などのメータ６１を設け、ストップウォッチや航走時間などを表示する表示部６２０を設け、ゲージパネル６にオン・オフスイッチ６６を介して電源を接続するとともにリレー６７を介してスタータモータ６８を接続し、暗証番号を入力することでスタータモータ６８を回転させエンジン５を始動する操作手段６２をゲージパネル６に設け、表示部６２０を切換えるモード切換えボタン６１０をゲージパネル６に設けたものである。
【０００３】
【発明が解決しようとする課題】
上記の小型船舶の始動装置では、制御手段Ｅを備えるゲージパネル６で、スタータモータ６７を回転させエンジン５を始動するだけの電源システムである。
しかし、小型船舶にはランヤードスイッチ付きメインスイッチや燃料噴射装置等の複数の補機類があり、これらのランヤードスイッチ付きメインスイッチの状態や補機類に供給する電源をゲージパネル６のようなコントロールユニットで一括して管理することができれば、好ましいことである。
【０００４】
そこで、本発明の目的は、ランヤードスイッチ付きメインスイッチの状態や補機類に供給する電源をコントロールユニットで一括して管理することのできる小型艇の電源システムを提供することにある。
【０００５】
【課題を解決するための手段】
上記目的を達成するために請求項１は、ワイヤで乗員に連結することで非常時に電源をオフすることのできるランヤードスイッチ付きメインスイッチを備え、補機類やエンジンを制御する制御部などに電源を供給する小型艇の電源システムにおいて、この電源システムは、補機類やエンジン制御部へ供給する電源をオン・オフするメインリレーと、このメインリレーを制御するためにメインスイッチに接続されたメータのコントロールユニットとを備え、メインスイッチのオン・オフ状態をメータのコントロールユニットで監視し、オン・オフ状態に基づいてメインリレーをオン・オフ制御するとともに、メータのコントロールユニットは、メインスイッチがオン状態からオフ状態に変わったときに、エンジン制御部へ瞬時に停止信号を出力し、この停止信号に基づいてエンジン制御部でエンジンを停止させるとともに、メインスイッチのオフ状態が所定時間内である場合に、メインリレーのオン状態を維持してエンジン制御部の電源はオン状態を維持するようにしたことを特徴とする。
【０００６】
補機類やエンジンを制御するエンジン制御部などへ供給する電源をオン・オフするためにメインリレーを設け、このメインリレーを制御するためにメインスイッチに接続するメータのコントロールユニットとを設け、メインスイッチのオン・オフ状態をメータのコントロールユニットで監視し、オン・オフ状態に基づいてメインリレーをオン・オフするようにすることで、補機類やエンジンを制御する制御部などへ供給する電源のＯＮ／ＯＦＦを一括して管理する。この結果、電源システムの簡素化を図ることができる。
例えば、メインリレーをオフにするとエンジンを制御するエンジン制御部もオフにすることが多い。電源立上げ時に、エンジン制御部ではメータのコントロールユニット同様に故障診断等をさせることがあり、エンジン制御部の電源をオフにすると小型艇の航行可能状態に移行できるまでに時間がかかる。
すなわち、エンジンを停止して小型艇を一時停止させたときも、メインスイッチのオフ状態が所定時間内である場合に、メインリレーのオン状態を維持させることで、一時停止状態から航行可能状態に短時間で移行することができる。
【００１１】
請求項２は、コントロールユニットが、小型艇の運転情報又は艇体情報を表示する表示装置の構成部品であり、メインスイッチがオン状態からオフ状態に変わったときから所定の時間経過後にコントロールユニット及びメインリレーを同時にオン状態からオフ状態に切換えることを特徴とする。
コントロールユニットが、小型艇の運転情報又は艇体情報を表示する表示装置の構成部品であるときに、コントロールユニット及びメインリレーを同時にオン状態からオフ状態に切換えることで、メインリレーの状態をコントロールユニットの表示機能で把握することができる。この結果、操縦者の利便性を図ることができる。
【００１２】
【発明の実施の形態】
本発明の実施の形態を添付図に基づいて以下に説明する。なお、図面は符号の向きに見るものとする。
図１は本発明に係る電源システムを搭載した小型艇の側面図であり、本発明に係る小型艇としてのジェット推進艇１０は、艇体１１の前部１１ａに取付けた燃料タンク１４と、この燃料タンク１４の後方に設けたエンジン１５と、このエンジン１５の後方に設けたポンプ室１６と、このポンプ室１６に設けたジェット推進機１７と、エンジン１５に吸気側を取付けるとともに排気側をポンプ室１６に取付けた排気ユニット１８と、燃料タンク１４の上方に取付けたステアリング２８と、このステアリング２８の後方に取付けたシート２９とからなる。
【００１３】
ジェット推進機１７は、艇底１２の開口１３から後方へ延びたハウジング２１を有し、このハウジング２１内にインペラ２２を回転自在に取り付け、インペラ２２をエンジン１５の駆動軸２３に連結したものである。
ジェット推進機１７によれば、エンジン１５を駆動してインペラ２２を回転させることにより、艇底１２の開口１３から吸引した水をハウジング２１の後端開口を介してノズルとしての操舵管２５から艇体１１の後方へ噴射することができる。
【００１４】
操舵管２５は、ハウジング２１の後端に左右方向にスイング自在に取付けた部材であり、ステアリング２８の操作で左右方向にスイングすることにより艇体１１の操舵方向をコントロールする操舵用のノズルである。
【００１５】
このジェット推進艇１０によれば、燃料タンク１４からエンジン１５に燃料を供給してエンジン１５を駆動し、このエンジン１５の駆動力を駆動軸２３を介してインペラ２２に伝え、インペラ２２を回転することにより艇底１２の開口１３から水を吸引し、吸引した水をハウジング２１の後端を通して操舵管２５から噴射して推進することができる。
また、後述するように、ジェット推進艇１０は、ジェット水流の量又はジェット水流の噴射できる時間を精度よく制御するために制御部を備えた船艇である。さらに、エンジン出力を所定の出力を超えないように制限する制限運転モードに切換えできる船艇でもある。
【００１６】
図中、２６は艇艇をバックさせるときに操舵管２５に被せてジェット水流を前方斜め下方に流すためのリバースバケット、３３はリバースバケット２６を操作する操作ノブ、３４はエキゾーストパイプ、３５はエキゾーストボディ、２７は艇体１１の電源であるバッテリ、３６はウォータマフラ、３７はウォータロックパイプ、３８はテールパイプ、３９はレゾネータ、４５はランヤードスイッチ付きメインスイッチを示す。
【００１７】
図２は本発明に係る電源システムを搭載した小型艇の平面図であり、ステアリング２８は、艇体に回転自在に取付けるステアリングシャフト４１と、このステアリングシャフト４１の上端に取付けるハンドルバー４３と、このハンドルバー４３の左右端部に取付けた左右のハンドルグリップ４４Ｌ，４４Ｒと、左のハンドルグリップ４４Ｌの根元に設けたランヤードスイッチ付きメインスイッチ４５と、右のハンドルグリップ４４Ｒの根元にスイング自在に取付けたスロットルレバー４６と、このスロットルレバー４６からスロットルに延ばしたスロットルケーブル４７と、このステアリングシャフト４１の下端に設けた転舵検出機構４８と、からなる。
【００１８】
図３は本発明に係る電源システムを搭載した小型艇の転舵機構の平面図であり、転舵検出機構４８は、艇体１１（図１参照）に取付けたブラケット５１と、ステアリングシャフト４１の下端に取付けたスイッチカム５２と、このスイッチカム５２でＯＮ／ＯＦＦする転舵スイッチ５３と、ステアリングシャフト４１の下端に取付けたカムプレート５４とからなる。なお、５５は、カムプレート５４の端部に回転自在に取付けることで操舵管２５（図１参照）を駆動する駆動リンク、５３ａは転舵スイッチ５３のスイッチレバー、５３ｂは転舵スイッチ５３の本体部を示す。
【００１９】
図４は本発明に係る電源システムを搭載した小型艇のＯＴＳ制御装置のブロック図である。ここで、ＯＴＳとは Off Throttle Steering System の略であり、スロットル６４を戻したときでも所定のジェット水流を少しの間維持できるようにする装置である。
ジェット推進艇のＯＴＳ制御装置６０は、艇体１１（図１参照）の操舵をする前記ステアリング２８と、エンジン１５（図１参照）に燃料を供給する燃料噴射装置６１と、艇体１１を制御する制御部（ＥＣＵ）１０１と、艇体１１の状況を表示するコントロールユニットとしての表示制御部７４を備えた表示装置７０と、から構成するシステムであり、所定回転数以上で所定時間以上エンジン１５が回転し、且つ所定開度以上で所定時間以上スロットル６４が開いることを条件として、スロットル６４を閉じるとともにステアリング２８を所定角度以上に左又は右に切ったときに、スロットル６４に関係なくエンジン１５の回転数を予め定めた回転数に上げるためのシステムである。
【００２０】
燃料噴射装置６１は、制御部（ＥＣＵ）１０１からの情報で負圧を制御するソレノイド６２と、吸気通路６３に設けることでエンジン１５（図１参照）に供給する混合気の量を調整するスロットル６４と、これらのソレノイド６２及びスロットル６４の間に設けることでスロットル開度を調整するダイヤフラム６５と、スロットル開度を検出するスロットルセンサ６６と、ソレノイド６２及び吸気通路６３の間に設けることで負圧の逆流防止及び加圧の侵入防止をするワンウェイバルブ６７と、このワンウェイバルブ６７及びソレノイド６２の間に設けることで負圧変動を緩和するサージタンク６８と、燃料を細かい噴霧状にして吸気通路６３に供給するインジェクタ６９、とから構成する。図中、θはスロットル開度を示す。
【００２１】
図５は図１の５矢視図であり、ジェット推進艇の表示装置７０（以下、表示装置７０」と略記する）の正面を示す。
表示装置７０は、運転情報を表示する液晶表示部としての液晶ディバイス７１と、艇体情報としての各種警告の必要なときに点灯又は点滅させる警告灯７２と、切換え操作や入力操作をする操作スイッチ７３と、液晶ディバイス７１及び警告灯７２を駆動するとともに艇体１１を制御する表示制御部７４と、これらの液晶ディバイス７１、警告灯７２及び表示制御部７４を一括して覆うハウジング７５と、警告灯７２を点灯又は点滅させるときに警告音を発するブザー７９とからなる。
【００２２】
液晶ディバイス７１は、エンジン１５（図１参照）の回転数を表示するタコメータ７６と、艇速を表示するスピードメータ７７と、運転情報や各種警告を表示する多機能表示部７８と、を形成したものである。
【００２３】
多機能表示部７８は、バッテリ２７（図１参照）が所定の電圧を下回ったときに点滅させる充電マーク７８ａと、冷却水の温度が所定の温度を超えた時に点滅させる水温警告マーク７８ｂと、エンジンオイルの量が所定の量を下回ったとき若しくはエンジンオイルの圧力が所定値以下になった時に点滅させるオイル警告マーク７８ｃと、燃料噴射装置６１（図３参照）に異常が発生したときに点滅させる燃料噴射装置警告マーク７８ｄ（以下［ＦＩ警告マーク７８ｄ」と略記する）と、エンジン出力を所定の出力を超えないように制限する制限運転モードに設定したことを表示する表示灯としてのリミットモード表示マーク７８ｅと、燃料の残量を表示する残量表示計７８ｆと、燃料の残量が少ないときに給油を促す給油警告マーク７８ｇと、盗難防止のための暗証番号としてのＩＤ(Identification）ナンバーがセットされ施錠されているときに点滅させるＩＤナンバマーク７８ｈと、盗難防止機能を解除したときに点灯させるキーマーク７８ｉと、時刻表示、航行時間表示、エンジン回転数（以下「Ｎｅタコ表示」と略記する）、航行距離表示、若しくは積算航行時間表示に切換えて表示する切換え表示部７８ｊと、から構成する。
【００２４】
すなわち、ジェット推進艇１０（図１参照）は、ＩＤナンバを入力することで電源をＯＮ若しくはＯＦＦすることのできる盗難防止機能を備えた推進艇でもある。
【００２５】
操作スイッチ７３は、時刻などを設定するときに使用するセットスイッチ７３ａと、切換え表示部の切換えや前記制限運転モードを設定するときに使用するモードスイッチ７３ｂと、ＩＤナンバを打込み決定するときにに使用するＩＤセットスイッチ７３ｃ及びＩＤナンバスイッチ７３ｄと、からなる。
【００２６】
図６は本発明に係る電源システムを搭載した小型艇の表示装置の平面断面図であり、ハウジング７５は、表示制御部７４を取付けるロアケース８１と、このロアケース８１にパッキン８２を介して取付けたアッパケース８３と、このアッパケース８３の開口８３ａに取付けた表示窓８４と、ロアケース８１の底８１ａから束ねたハーネス８５を引出すために設けたブッシュ８６と、からなる。
８１ｂはロアケース８１に立てることで表示制御部７４を支持するボス、８１ｃはロアケース８１に立てることで表示制御部７４を止める止めボス、８７ａ，８７ｂは表示制御部７４に接続したコネクタ、８８ａ，８８ｂは表示制御部７４から延出した複数のハーネスである。
【００２７】
図７は本発明に係る小型艇の電源システムのブロック図であり、電源システム９０は、バッテリ２７電源に並列に接続したランヤードスイッチ付きメインスイッチ４５と、このメインスイッチ４５にコイル部９１ａを直列に接続するとともにバッテリ２７にスイッチ部９１ｂを直列に接続することで燃料噴射装置６１やその他補機類９２（後述するヒュエールポンプ）へ供給するバッテリ２７電源をＯＮ／ＯＦＦするメインリレー９１と、このメインリレー９１を制御するためにメインスイッチ４５に並列に接続する表示制御部７４と、燃料噴射装置６１などを有するエンジン１５（図１参照）を制御する制御部（ＥＣＵ）１０１と、からなる。
制御部（ＥＣＵ）１０１は、エンジン１５を制御するとともに燃料噴射装置６１やその他補機類９２を制御するジェット推進艇１０（図１参照）をコントロールする部分である。
【００２８】
表示制御部７４は、中核をなすマイクロコンピュータ７４Ａと、ランヤードスイッチ付きメインスイッチ４５の情報及び所定のＩＤナンバを入力することで表示制御部７４自身の電源をＯＮ／ＯＦＦするスイッチ回路９３と、このスイッチ回路９３の動作を所定の時間遅延させる遅延手段９４とを備え、盗難防止のためのＩＤ情報、ランヤードスイッチ付きメインスイッチ４５の状態、艇体の速度情報、燃料の残量を表示するための燃料情報、エンジン回転数情報、図５に示す多機能表示部７８や警告灯７２を点灯するための警告灯表示情報などを入力し、燃料噴射装置６１（図４参照）を制御して制限運転したときの制限運転情報、メインリレー９１をＯＦＦしているロック情報、エンジン停止情報などを出力するものである。なお、９２はその他補機類を示す。
【００２９】
すなわち、電源システム９０は、ワイヤで乗員に連結することで非常時に電源をオフすることのできるランヤードスイッチ付きメインスイッチ４５を備え、燃料噴射装置６１を含む補機類やエンジン１５（図1参照）を制御する制御部（ＥＣＵ）１０１などに電源を供給する小型艇の電源システムにおいて、補機類やエンジンを制御する制御部（ＥＣＵ）１０１などへ供給する電源をオン・オフするメインリレー９１と、このメインリレー９１を制御するためにメインスイッチ４５に並列に接続するコントロールユニット（表示制御部７４）とを備え、メインスイッチ４５のオン・オフ状態をコントロールユニット（表示制御部７４）で監視し、オン・オフ状態に基づいてメインリレー９１をオン・オフ制御するものであると言える。
【００３０】
燃料噴射装置６１を含む補機類やエンジン１５（図1参照）を制御する制御部（ＥＣＵ）１０１などへ供給する電源をオン・オフするためにメインリレー９１を設け、このメインリレー９１を制御するためにメインスイッチ４５に並列に接続するコントロールユニット（表示制御部７４）とを設け、メインスイッチ４５のオン・オフ状態をコントロールユニット（表示制御部７４）で監視し、前記オン・オフ状態に基づいてメインリレー９１をオン・オフするようにするようにしたので、燃料噴射装置６１を含む補機類やエンジン１５を制御する制御部（ＥＣＵ）１０１などへ供給する電源のＯＮ／ＯＦＦを一括して管理することができる。この結果、電源システム９０の簡素化を図ることができる。
【００３１】
また、表示制御部７４は、制御部（ＥＣＵ）１０１にメインリレー９１がＯＦＦのときのロック情報を出力する。従って、制御部（ＥＣＵ）１０１にロック情報があるので、メインリレー９１を直結してもエンジン１５（図１参照）は始動することはできない。
【００３２】
すなわち、電源システム９０は、コントロールユニット（表示制御部７４）に盗難防止機能を備えており、コントロールユニット（表示制御部７４）からメインリレー９１をオフする情報を出力したときは、このオフ情報に基いてエンジン１５を停止させる停止信号をエンジン１５を制御する制御部（ＥＣＵ）１０１に出力するようにしたことを特徴とする。
コントロールユニット（表示制御部７４）からメインリレー９１をオフする情報を出力したときは、このオフ情報に基いてエンジン１５を停止させる停止信号をエンジン１５を制御する制御部（ＥＣＵ）１０１に出力することで、例えば、メインリレー９１を直結されたときであってもエンジン１５は始動することはない。従って、小型艇（ジェット推進艇１０）の盗難防止を図ることができる。
【００３３】
図８は本発明に係る電源システムを搭載した小型艇のランヤードスイッチ付きメインスイッチの側面図であり、ランヤードスイッチ付きメインスイッチ４５は、航行時に乗員に連結するランヤードスイッチ部（スイッチ操作ストラップ）５７と、このランヤードスイッチでＯＮ／ＯＦＦ操作をすることのできるメインスイッチ本体部５８とからなる。
ランヤードスイッチ部５７は、メインスイッチ本体部５８に挟む若しくは外すことで電源をＯＮ／ＯＦＦするクリップ５７ａと、このクリップ５７ａから延出した伸び縮み可能なワイヤ５７ｂと、このワイヤ５７ｂの先端に取付けることで乗員の腕部にはめるハンドストラップ５７ｃとからなる。
【００３４】
メインスイッチ部５８は、艇体１１（図１参照）側に取付けるハウジング５８ａと、このハウジング５８ａに収納したスイッチ５８ｂと、このスイッチ５８ｂを操作するアウタノブ５８ｃと、このアウタノブ５８ｃの内側に設けたストップボタン５８ｄと、エンジン１５（図１参照）を始動するスタートスイッチ５８ｅと、からなる。
【００３５】
アウタノブ５８ｃを外方に引張ったときにスイッチ５８ｂをＯＮ、ランヤードスイッチ部５７のクリップ５７ａを挟んだときにＯＮを維持し、クリップ５７ｄが外れた時は自動的に初期位置に復帰してＯＦＦ、又クリップ５７ａを挟んだ状態でストップボタン５８ｄを押すことで電源をＯＦＦできるスイッチである。以下、ランヤードスイッチ付きメインスイッチ４５の作用を詳細に説明する。
【００３６】
図９（ａ）〜（ｃ）は本発明に係る電源システムを搭載した小型艇のランヤードスイッチ付きメインスイッチの作用図である。
（ａ）において、メインスイッチ本体部５８のハウジング５８ａとアウタノブ５８ｃとの間にランヤードスイッチ部５７のクリップ５７ａを矢印▲１▼の如く押し込むことで、アウタノブ５８ｃは矢印▲２▼の如く移動し、スイッチ５８ｂをＯＮ状態にできる。
【００３７】
（ｂ）において、メインスイッチ本体部５８にランヤードスイッチ部５７を嵌合させた状態で、ストップボタン５８ｄを矢印▲３▼の如く押すことでスイッチ５８ｂをＯＦＦ状態にすることができる。
【００３８】
（ｃ）において、メインスイッチ本体部５８のハウジング５８ａとアウタノブ５８ｃとの間のランヤードスイッチ部５７のクリップ５７ａを矢印▲４▼の如く抜くと、アウタノブ５８ｃは、ストップボタン５８ｄとともに自動で矢印▲５▼の如く戻りメインスイッチ本体部５８はＯＦＦになる。
【００３９】
図１０（ａ）〜（ｃ）は参考例の小型艇の電源システムの作用説明図であり、メインリレー、表示装置、スタートスイッチ及びエンジンの動作状態の関係を示す（符号は図８参照）。すなわち、段落番号００３９〜００４３で参考例を説明する。
（ａ）において、ランヤードスイッチ部５７を抜いた場合、即ち、航行終了時又は落水時の動作関係を示す。
先ず、図９（ａ）〜（ｃ）にて説明したように、メインスイッチ本体部５８にランヤードスイッチ部５７を嵌合させることで、メインスイッチ４５、メインリレー９１（図７参照）及び表示装置７０は同期してＯＮ状態になる。スタートスイッチ５８ｅ（図８参照）を押すことでエンジン１５（図１参照）は始動する。
次に、メインスイッチ本体部５８からランヤードスイッチ５７を抜くと、メインスイッチ４５、メインリレー９１及びエンジン１５は同期してＯＦＦ状態になる表示装置７０は所定の時間ｔ1後にＯＦＦ状態（図７に示すように表示制御部７４に備えた遅延手段９４で制御する）になる。ここでは、所定の時間ｔ1は１０ｓｅｃに設定した。
【００４０】
（ｂ）において、ランヤードスイッチ部５７を抜かずにエンジン１５を停止した場合、即ち、着座待機の場合などにストップボタン５８ｄを押してメインスイッチ４５をＯＦＦし、時間ｔ2内にメインスイッチ４５をＯＮした場合の動作関係を示す（ｔ2＜ｔ1）。（ａ）に示したようにメインスイッチ４５をＯＦＦしてから時間ｔ１の間は表示装置７０はＯＮ状態を維持できるようにしたので、上記操作でエンジン１５だけを止め、表示装置７０をＯＮのまま待機する。これは、表示装置７０に備えた表示制御部７４は表示装置７０をＯＮしたときには故障点検モードに入る。従って、表示装置７０の立上げには時間を要する。よって、エンジン１５を止めて待機し、スタートスイッチ５８ｅを押してすぐに航行できるようにした。
【００４１】
（ｃ）において、ランヤードスイッチ５７を抜かずに放置した場合の動作関係を示す。
エンジン１５をＯＦＦ、且つメインスイッチ４５、メインリレー９１及び表示装置７０がＯＮ状態で所定の時間ｔ3が経過したときは、表示制御部７４で自動的にメインリレー９１及び表示装置７０をＯＦＦ（図７に示す表示制御部７４に備えたスイッチ回路９３で制御）にするようにして、バッテリ２７（図１参照）のいたずらな電力消費を抑えるようにした。
【００４２】
電源システム９０（図７参照）は、メインスイッチ４５がオン状態からオフ状態に変ったときに、メインリレー９１は瞬時にオンからオフに切り換え、コントロールユニット（表示制御部７４）はメインスイッチ４５の所定時間のオフ状態ではオン状態を維持するものであると言える。
【００４３】
例えば、電源立上げ時にコントロールユニットでは表示装置や補機類の故障診断などを行なわせることが多い。従って、不用意にコントロールユニットの電源を落とすとコントロールユニットを立上げるために時間がかかる。
そこで、所定時間のメインスイッチのオフ状態ではコントロールユニットはオン状態を維持することで、メインスイッチ４５（図７参照）をオフ状態に切換え、メインリレー９１を瞬時にオフに切り換えて、燃料噴射装置６１を含む補機類などに電源の供給を停止させ、ジェット推進艇１０（図１参照）を一時停止させる。この一時停止させた状態ではコントロールユニット（表示制御部７４）は立上げた状態を維持できるので、一時停止の状態から航行可能状態に短時間で移行することができる。この結果、ジェット推進艇１０の利便性の向上を図ることができる。
【００４４】
図１１は本発明に係る電源システムを搭載した小型艇の制限運転設定のフロー図である。なお、ＳＴ×××はステップ番号を示す。
ＳＴ１０１：エンジン１５（図１参照）の出力を低く制限する制限運転のモードに設定する。具体的には、表示装置７０のセットスイッチ７３ａを長押しする。長押しとは、セットスイッチ７３ａを連続して５ｓｅｃ以上押し続けることを言う。なお、セットスイッチ７３ａは、現在時刻設定などの他の機能設定スイッチでもある。
すなわち、制限運転に設定することで、リミットモード表示マーク７８ｅを点灯させて表示する。
ＳＴ１０２：制限運転中は、制限運転でエンジン１５の出力が制限されていることをリミットモード表示マーク７８ｅを点滅させて表示する。
ＳＴ１０３：制限運転のモードを解除する。具体的には、表示装置７０のセットスイッチ７３ａを長押しする。リミットモード表示マーク７８ｅは消灯する。
【００４５】
表示装置７０は、運転情報を表示する表示パネル（液晶ディバイス７１）と、エンジン１５（図１参照）の出力を制限しない通常運転からエンジン１５の出力を低く制限する制限運転へ切り換えることのできる切換えスイッチ（セットスイッチ７３ａ）とを備えた小型艇（ジェット推進艇１０）において、表示パネル（液晶ディバイス７１）は、制限運転に切り換えたときに点灯させる表示灯（リミットモード表示マーク７８ｅ）を備えたものであると言える。
【００４６】
例えば、エンジン１５（図１参照）の出力を制限しない通常運転からエンジン１５の出力を低く制限する制限運転に切換えることのできる小型艇（ジェット推進艇１０）を、制限運転にて操縦しているときに、艇速をあげるためにスロットル６４（図４参照）を開けたとする。この時に、操縦者が制限運転中であるとの認識が薄れたとすると小型艇（ジェット推進艇１０）は故障であると勘違いすることがある。そこで、エンジン１５の出力を制限しない通常運転からエンジン１５の出力を低く制限する制限運転に切換えたことを表示する表示灯（リミットモード表示マーク７８ｅ）を設けることで、操縦者の利便性を図ることができる。
【００４７】
また、表示装置７０は、表示灯（リミットモード表示マーク７８ｅ）を制限運転時、すなわち、エンジン１５回転数が所定回転以上に達してエンジン１５出力を制限している時に点滅させるものであるとも言える。
表示灯（リミットモード表示マーク７８ｅ）を制限運転時に点滅させることで、操縦者に運輸手段が制限運転時にであることを強く印象づけることができる。
【００４８】
さらに、表示装置７０は、切換えスイッチ（セットスイッチ７３ａ）が、表示パネル（液晶ディバイス７１）の機能切換えスイッチを兼ねるようにしたものであるとも言える。
切換えスイッチ（セットスイッチ７３ａ）が、表示パネル（液晶ディバイス７１）の機能切換えスイッチを兼ねることで、操作機能の多機能化を図ることができる。これにより、表示装置７０の小型化を実現することができる。
【００４９】
図１２は本発明に係る電源システムを搭載した小型艇の故障診断の手順を示すフロー図である。なお、ＳＴ×××はステップ番号を示す。
ＳＴ２０１：ＦＩ警告マーク７８ｄが点灯することで、燃料噴射装置６１（図４参照）に異常が発生したことを知ることができる。
ＳＴ２０２：故障診断を行なう。具体的には、表示装置７０のセットスイッチ７３ａとモードスイッチ７３ｂとを同時に長押しする。
【００５０】
例えば、この時に警告灯７２が１回点滅することで吸気通路６３（図４参照）の負圧に異常があることを示し、警告灯７２が３回点滅することで燃料ポンプ（不図示）に異常があることを示し、警告灯７２が２回点滅することでスロットルケーブル４７（図２参照）に異常があることを示すようにすれば、これらの故障箇所を迅速に知ることができる。
ＳＴ２０３：上記故障診断モードを解除する。具体的には、モードスイッチ７３ｂを押す。又は、無信号にて３０ｓｅｃ経過することで自動的に解除される。
【００５１】
表示装置７０は、運転情報や各種警告を表示する多機能表示部７８と、この多機能表示部７８の表示内容を操作する操作スイッチ７３と、駆動源に燃料を噴射する燃料噴射装置６１（図４参照）と、を備えた運輸手段（ジェット推進艇１０）において、多機能表示部７８に、燃料噴射装置６１に異常が生じたことを警告するための警告灯７２を設け、この警告灯７２を点灯若しくは点滅させるようにするとともに、この警告灯７２が点灯若しくは点滅したときに操作スイッチ７３を操作することで異常の症状を点滅パターン（例えば、１回点滅、２回点滅又は３回点滅等）にて表示する機能を備えたものであると言える。
【００５２】
一般的に、燃料噴射装置は空気と燃料とを混合し気化させた混合気をエンジンに送る装置であり、例えば、燃料噴射装置に異常が発生した場合には、吸気系統の異常なのか、燃料供給系統の異常なのか又はこれら以外の異常なのか判別するのが困難である。
【００５３】
そこで、燃料噴射装置６１（図４参照）に異常が生じたことを警告するための警告灯７２を設け、燃料噴射装置６１の異常を知らせる。また、この警告灯７２を点灯若しくは点滅させるようにすることで、燃料噴射装置６１の異常であることを強調する。さらに、警告灯７２が点灯若しくは点滅したときに操作スイッチ７３を操作することで異常の症状を点滅パターンにて表示する機能を備えることで、燃料噴射装置６１のトラブルに対して迅速な処置することができる。
すなわち、警告灯７２が点灯若しくは点滅したときに操作スイッチ７３を操作することで異常の症状を点滅パターンにて表示する機能を備えたので、燃料噴射装置６１のトラブル解決の利便性を向上させることができる。
【００５４】
図１３は本発明に係る電源システムを搭載した小型艇の盗難防止機能の施錠／解除の手順を示すフロー図である（符号は図７参照）。なお、ＳＴ×××はステップ番号を示す。
ＳＴ３０１：メインスイッチ４５をＯＮする。
ＳＴ３０２：ＩＤロック（盗難防止機能）はＯＮしたか否かを判断する。ＹＥＳならばＳＴ３０３に進み、ＮＯならばＳＴ３０８に進む。
ＳＴ３０３：ＩＤナンバスイッチ７３ｄを用いてＩＤナンバを入力する。このＩＤナンバの入力の許容回数は３回までに設定した。すなわち、３回間違うと表示装置７０（図４参照）の電源が落ちる。
ＳＴ３０４：ＩＤナンバは正しいか否かを判断する。ＹＥＳならばＳＴ３０７に進み、ＮＯならばＳＴ３０５、ＳＴ３０６を経由してＳＴ３０２に戻る。
【００５５】
ＳＴ３０５：ブザー警告をする。
ＳＴ３０６：照合の結果、ＩＤナンバが違うことの表示（照合ＮＧ表示）をディスプレイする。すなわち、ＩＤマーク７８ｈ（図５参照）、キーマーク７８ｉ及び入力した数字を点滅表示する。
ＳＴ３０７：ＩＤロックを解除する。
ＳＴ３０８：制御部（ＥＣＵ）１０１のロックを解除する。
ＳＴ３０９：メインリレー９１をＯＮする。この状態で表示装置７０（図４参照）の立上げを終了する。以下、ＩＤロック施錠手順を示す。
【００５６】
ＳＴ３１０：ＩＤセットスイッチ７３ｃを長押しする。ここでは、長押しする時間は２ｓｅｃ以上に設定する。
ＳＴ３１１：表示装置７０にＩＤロックの設定待ち表示が表示される。
ＳＴ３１２：ＩＤセットスイッチ７３ｃを押す。
ＳＴ３１３：ＩＤロックが施錠となる。
ＳＴ３１４：制御部（ＥＣＵ）１０１がロックされ、表示装置７０（図４参照）の操作がきかなくなる。
ＳＴ３１５：メインリレー９１がＯＦＦとなる。
【００５７】
図１４（ａ），（ｂ）は本発明に係る電源システムを搭載した小型艇の盗難防止機能のＩＤ新規登録／ＩＤ強制解除の手順を示すフロー図である（符号は図５参照）。なお、ＳＴ×××はステップ番号を示す。
（ａ）において、ＩＤロック（盗難防止機能）のＩＤ新規登録の手順を示す。
ＳＴ４０１：メインスイッチ４５（図７参照）をＯＮにする。
ＳＴ４０２：ＩＤナンバスイッチ７３ｄを長押しする。ここでの長押し時間は２ｓｅｃ以上に設定する。
ＳＴ４０３：ＩＤナンバスイッチ７３ｄでＩＤナンバを入力する。
ＳＴ４０４：ＩＤセットスイッチ７３ｃを長押しすることで、新規にＩＤナンバが登録できる。ここでの長押し時間は２ｓｅｃ以上に設定する。
この後、図１３に示すＳＴ３０９〜ＳＴ３１２のステップを経由して終了する。
【００５８】
（ｂ）において、ＩＤロック（盗難防止機能）のＩＤ強制解除の手順を示す。
ＳＴ５０１：フューエル信号をオープン状態にする。すなわち、燃料噴射装置６１の燃料センサ（不図示）からのハーネスを外した状態にする。例えば、図６に示すハーネス８７ａ，８７ｂの一本を外す。
ＳＴ５０２：メインスイッチ４５（図７参照）をＯＮにする。
ＳＴ５０３：セットスイッチ７３ａ、モードスイッチ７３ｂを同時に長押しする。ここでは、長押し時間を５ｓｅｃに設定する。
ＳＴ５０４：ＩＤナンバスイッチ７３ｄで所定番号としての解除用ナンバを入力する。ここで、解除用ナンバとは、艇体ナンバ等の艇体生産時に予め決まったナンバである。
【００５９】
ＳＴ５０５：ＩＤナンバがリセットされる。なお、ＩＤナンバがリセットされ、初期値「０００」になるとＩＤロックはかけられなくなり、再度ＩＤナンバを入力する。
ＳＴ５０６：メインスイッチ４５をＯＦＦにする。
ＳＴ５０７：フューエル信号をクローズにする。すなわち、外したハーネスをもとに戻す。
すなわち、ＳＴ５０１〜ＳＴ５０５の操作でＩＤナンバを強制解除し、ＩＤナンバをリセットすることができる。
新たに使用するときには、ＩＤナンバの新規登録から再度行なう。
【００６０】
運輸手段（ジェット推進艇１０）における盗難防止機能の暗証番号解除方法は、乗員が暗証番号を入力することにより、電源をオンすることのできる盗難防止機能を備えた運輸手段において、盗難防止機能に接続してある複数のハーネス８７ａ，８７ｂ（図６参照）の内の少なくとも一本を外し、この状態で所定番号（解除用ナンバ）を入力することにより、暗証番号を解除できるようにしたものであると言える。
【００６１】
例えば、操縦者又はオーナが暗証番号を忘れたという不測の事態に盗難防止機能全体を取替えて対処するのでは修理費用の高騰を招く。一方、簡単に暗証番号をリセットできるのでは盗難防止機能を維持することはできない。
そこで、盗難防止機能に接続してある複数のハーネス８７ａ，８７ｂ（図６参照）の内の少なくとも一本を外し、この状態で所定番号を入力することで、暗証番号を解除できるようにしたので、不測の事態への対処、及び盗難防止機能を維持の両立を図ることができる。
【００６２】
図１５は本発明に係る電源システムを搭載した小型艇の盗難防止機能の登録ＩＤナンバ変更の手順を示すフロー図である（符号は図５参照）。なお、ＳＴ×××はステップ番号を示す。
ＳＴ６０１：ＩＤナンバスイッチ７３ｄを長押しする。ここでは、長押しする時間は２ｓｅｃ以上に設定する。
ＳＴ６０２：登録済みのＩＤナンバを入力する。
ＳＴ６０３：入力したＩＤナンバが点滅する。
ＳＴ６０４：ＩＤセットスイッチ７３ｃを長押しする。ここでは、長押しする時間は２ｓｅｃ以上に設定する。
【００６３】
ＳＴ６０５：ＩＤナンバは正しいか否かを判断する。ＹＥＳならばＳＴ５０６に進み、ＮＯならばＳＴ６０７、ＳＴ６０８を経由してＳＴ６０２に戻る。なお、このＩＤナンバの入力の許容回数は３回までに設定した。すなわち、３回間違うと表示装置７０（図４参照）の電源が落ちる。
ＳＴ６０６：新規ＩＤナンバを入力する。
ＳＴ６０７：ブザー警告をする。
ＳＴ６０８：照合の結果、ＩＤナンバが違うことの表示（照合ＮＧ表示）をディスプレイする。すなわち、ＩＤマーク７８ｈ（図５参照）、キーマーク７８ｉ及び入力した数字を点滅表示する。
【００６４】
ＳＴ６０９：新規ＩＤナンバを点滅させる。
ＳＴ６１０：ＩＤセットスイッチ７３ｃを長押しする。ここでは、長押しする時間は２ｓｅｃ以上に設定する。
ＳＴ６１１：新ＩＤナンバを点灯することでの登録の完了表示をする。
【００６５】
図１６は本発明に係る電源システムを搭載した小型艇の制御システム図である。
小型艇の制御システム１００は、電源供給源であるバッテリ２７と、燃料噴射装置６１（図４参照）のインジェクタ６９（ここでは、「インジェクタ６９Ａ〜６９Ｄ」と表示する）と、メインリレー９１と、表示装置７０（図５参照）に搭載した表示制御部７４と、エンジン１５（図１参照）の制御をする制御部（ＥＣＵ）１０１と、を主要構成とするシステムである。
【００６６】
図中、１０２はスタータ、１０３はスタータ１０２をＯＮ／ＯＦＦするスタータ用リレー、１０４は発電機、１０５は発電機で発電した電圧を調整するレギュレータ、１０７は表示制御部７４に接続したブザー、１０８は表示制御部７４に接続した速度センサ、１０９は表示制御部７４に接続したフューエルセンサ、１１１は制御部（ＥＣＵ）１０１に接続した温度センサ、１１２は制御部（ＥＣＵ）１０１に接続した水温センサ、１１３は制御部（ＥＣＵ）１０１に接続した排気温度検出センサ、１１４は制御部（ＥＣＵ）１０１に接続することでエンジンオイルの温度を検出するオイル温度センサ、１１６Ａ〜１１６Ｄは点火系部材（点火プラグ及びイグニションコイル）、１１７はオイル圧力センサ、１１８はエンジン１５のノッキンングを検出するノックセンサ、１２１はフューエルポンプ、１２２はフューエルポンプをＯＮ／ＯＦＦするリレーを示す。
【００６７】
矢印Ａで示す流れは、制御部（ＥＣＵ）１０１から表示制御部７４に送るエンジンオイル情報、温度情報、フューエル情報、エンジン回転数情報、警告灯表示情報、ＯＴＳ（Off Throttle Steering System）情報を示す。
また、矢印Ｂで示す流れは、表示制御部７４から制御部（ＥＣＵ）１０１に送るロック情報、制限運転情報を示す。
【００６８】
図１７は本発明に係る実施例の小型艇の電源システムのブロック図であり、電源システム９０（図７参照）に使用した部品と同一部品は同一符号を用い詳細な説明は省略する。
電源システム１３０は、コントロールユニットとしての表示制御部１３４と、この表示制御部１３４とバッテリ２７との間に接続したランヤードスイッチ付きメインスイッチ４５と、表示制御部１３４でコイル部９１ａを励磁することでバッテリ２７電源のオン・オフをするスイッチ部９１ｂを有するメインリレー９１と、このメインリレー９１のスイッチ部９１ｂでオン・オフをするとともに表示制御部１３４と情報の授受を行うことでエンジン１５（図１参照）を制御する制御部（ＥＣＵ）１０１と、メインリレー９１のスイッチ部９１ｂででオン・オフする燃料噴射装置６１及びその他補機類９２とから構成する。
【００６９】
表示制御部１３４は、図５に示す表示装置７０に搭載した表示制御部７４の実施例の制御部を示す。すなわち、中核をなすマイクロコンピュータ１３４Ａと、ランヤードスイッチ付きメインスイッチ４５の情報及び所定のＩＤナンバを入力することで表示制御部１３４自身の電源をＯＮ／ＯＦＦするスイッチ回路１３３と、このスイッチ回路１４３の動作を所定の時間遅延させる遅延手段１４４とを備え、盗難防止のためのＩＤ情報、ランヤードスイッチ付きメインスイッチ４５の状態、艇体の速度情報、燃料の残量を表示するための燃料情報、エンジン回転数情報、図５に示す多機能表示部７８や警告灯７２を点灯するための警告灯表示情報などを入力し、燃料噴射装置６１を制御して制限運転したときの制限運転情報、メインリレー９１をＯＦＦしているロック情報、エンジン停止情報などを出力するとともに、表示制御１３４は、表示装置７０をＯＮしたときには故障点検モードに入る制御部である。
【００７０】
図１８（ａ）〜（ｃ）は本発明に係る実施例の小型艇の電源システムの作用説明図であり、メインリレー、表示装置、スタートスイッチ及びエンジンの動作状態の関係を示す（符号は図１７参照）。
（ａ）において、ランヤードスイッチ部５７（図８参照）を抜いた場合、即ち、航行終了時又は落水時の動作関係を示す。
先ず、図９（ａ）〜（ｃ）にて説明したように、メインスイッチ本体部５８にランヤードスイッチ部５７を嵌合させることで、メインスイッチ４５、メインリレー９１（図７参照）及び表示装置７０は同期してＯＮ状態になる。スタートスイッチ５８ｅ（図４参照）を押すことでエンジン１５（図１参照）は始動する。
【００７１】
次に、メインスイッチ本体部５８からランヤードスイッチ５７を抜くと、メインスイッチ４５及びエンジン１５は同期したＯＦＦ状態になる。メインリレー９１及び表示装置７０は所定の時間ｔ４後にＯＦＦ状態（図１７に示すように表示制御部１３４に備えた遅延手段１４４で制御する）になる。
【００７２】
実施例の電源システム１３０は、表示制御部（コントロールユニット）１３４が、小型艇の運転情報又は艇体情報を表示する表示装置７０（図１７参照）の構成部品であり、メインスイッチ４５がオン状態からオフ状態に変わったときから所定の時間ｔ４経過後に表示制御部１３４及びメインリレー９１を同時にオン状態からオフ状態に切換えるものであると言える。
表示制御部１３４が、小型艇の運転情報又は艇体情報を表示する表示装置７０の構成部品であるときに、表示制御部１３４及びメインリレー９１を同時にオン状態からオフ状態に切換えることで、メインリレー９１の状態を表示装置７０の表示機能で把握することができる。この結果、操縦者の利便性を図ることができる。
【００７３】
（ｂ）において、ランヤードスイッチ部５７を抜かずにエンジン１５を停止した場合、即ち、着座待機の場合などにストップボタン５８ｅを押してメインスイッチ４５をＯＦＦし、時間ｔ５内にメインスイッチ４５をＯＮした場合の動作関係を示す（ｔ５＜ｔ４）。（ａ）に示したようにメインスイッチ４５をＯＦＦしてから時間ｔ４の間はメインリレー９１及び表示装置７０はＯＮ状態を維持できるようにしたので、上記操作でエンジン１５だけを止め、メインリレー９１及び表示装置７０をＯＮのまま待機する。よって、スタートスイッチ５８ｅを押せば、すぐに航行できる。
【００７４】
また、実施例の電源システム１３０は、表示制御部１３４が、メインスイッチ４５がオン状態からオフ状態に変わったときに、制御部（ＥＣＵ）１０１（図１７参照）へ瞬時に停止信号を出力し、この停止信号に基づいて制御部（ＥＣＵ）１０１でエンジン１５（図１参照）を停止させるとともに、表示制御部１３４が、メインスイッチ４５のオフ状態が所定時間ｔ５内である場合に、メインリレー９１のオン状態を維持するものであると言える。
【００７５】
一般的には、メインリレーをオフにするとエンジンを制御する制御部（ＥＣＵ）もオフにすることが多い。電源立上げ時に、制御部（ＥＣＵ）１０１では表示制御部（コントロールユニット）１３４同様に故障診断等をさせることがあり、制御部（ＥＣＵ）１０１の電源をオフにすると小型艇１０（図１参照）の航行可能状態に移行できるまでに時間がかかる。
すなわち、エンジン１５を停止して小型艇１０を一時停止させたときも、メインスイッチ４５のオフ状態が所定時間ｔ４内である場合に、メインリレー９１のオン状態を維持させることで、一時停止状態から航行可能状態に短時間で移行することができる。
【００７６】
（ｃ）において、ランヤードスイッチ部５７（図８参照）を抜かずに放置した場合の動作関係を示す。
エンジン１５をＯＦＦ、且つメインスイッチ４５、メインリレー９１及び表示装置７０（図４参照）がＯＮ状態で所定の時間ｔ６が経過したときは、表示制御部１３４で自動的にメインリレー９１及び表示装置７０をＯＦＦ（図１７に示す表示制御部７４に備えたスイッチ回路１４３で制御）にするようにして、バッテリ２７（図１参照）のいたずらな電力消費を抑えるようにした。
【００７７】
尚、実施の形態では図１０に示すように、燃料噴射装置６１及びその他補機類９２を管理できるようにしたが、これに限るものではなく、補機類などへ供給する電源のＯＮ／ＯＦＦを一括して管理できるものであればよい。
【００７８】
【発明の効果】
本発明は上記構成により次の効果を発揮する。
請求項１では、補機類へ供給する電源をオン・オフするメインリレーと、このメインリレーを制御するためにメインスイッチに並列に接続するコントロールユニットとを備え、メインスイッチのオン・オフ状態をコントロールユニットで監視し、オン・オフ状態に基づいてメインリレーをオン・オフ制御するようにしたので、燃料噴射装置を含む補機類へ供給する電源のＯＮ／ＯＦＦを一括して管理することができる。この結果、電源システムの簡素化を図ることができる。
例えば、メインリレーをオフにするとエンジンを制御する制御部もオフにすることが多い。電源立上げ時に、制御部ではコントロールユニット同様に故障診断等をさせることがあり、制御部の電源をオフにすると小型艇の航行可能状態に移行できるまでに時間がかかることがある。
そこで、コントロールユニットが、メインスイッチがオン状態からオフ状態に変わったときに、制御部へ瞬時に停止信号を出力し、この停止信号に基づいて制御部でエンジンを停止させるとともに、コントロールユニットが、メインスイッチのオフ状態が所定時間内である場合に、メインリレーのオン状態を維持することを特徴とするようにしたので、エンジンを停止して小型艇を一時停止させたときも、メインスイッチのオフ状態が所定時間内である場合に、メインリレーのオン状態を維持させることで、一時停止状態から航行可能状態に短時間で移行することができる。
【００８２】
請求項２は、コントロールユニットが、小型艇の運転情報又は艇体情報を表示する表示装置の構成部品であるときに、コントロールユニット及びメインリレーを同時にオン状態からオフ状態に切換えるようにしたので、メインリレーの状態をコントロールユニットの表示機能で把握することができる。この結果、操縦者の利便性を図ることができる。
【図面の簡単な説明】
【図１】本発明に係る電源システムを搭載した小型艇の側面図
【図２】本発明に係る電源システムを搭載した小型艇の平面図
【図３】本発明に係る電源システムを搭載した小型艇の転舵機構の平面図
【図４】本発明に係る電源システムを搭載した小型艇のＯＴＳ制御装置のブロック図
【図５】図１の５矢視図
【図６】本発明に係る小型艇の表示装置の平面断面図
【図７】本発明に係る小型艇の電源システムのブロック図
【図８】本発明に係る電源システムを搭載した小型艇のランヤードスイッチ付きメインスイッチの側面図
【図９】本発明に係る電源システムを搭載した小型艇のランヤードスイッチ付きメインスイッチの作用図
【図１０】  参考例の小型艇の電源システムの作用説明図
【図１１】本発明に係る電源システムを搭載した小型艇の制限運転設定のフロー図
【図１２】本発明に係る電源システムを搭載した小型艇の故障診断の手順を示すフロー図
【図１３】本発明に係る電源システムを搭載した小型艇の盗難防止機能の施錠／解除の手順を示すフロー図
【図１４】本発明に係る電源システムを搭載した小型艇の盗難防止機能のＩＤ新規登録／ＩＤ強制解除の手順を示すフロー図
【図１５】本発明に係る電源システムを搭載した小型艇の盗難防止機能の登録ＩＤナンバ変更の手順を示すフロー図
【図１６】本発明に係る電源システムを搭載した小型艇の制御システム図
【図１７】  本発明に係る実施例の小型艇の電源システムのブロック図
【図１８】  本発明に係る実施例の小型艇の電源システムの作用説明図
【符号の説明】
１０…小型艇（ジェット推進艇）、１５…エンジン、１７…ジェット推進機、４５…ランヤードスイッチ付きメインスイッチ、６１…燃料噴射装置、７０…表示装置、７４，１３４…コントロールユニット（表示制御部）、９０,１３０…電源システム、９１…メインリレー、９２…補機類（その他補機類）、１０１…制御部（ＥＣＵ）。
【図１】
0004166998.tif 000002
【図２】
0004166998.tif 000003
【図３】
0004166998.tif 000004
【図４】
0004166998.tif 000005
【図５】
0004166998.tif 000006
【図６】
0004166998.tif 000007
【図７】
0004166998.tif 000008
【図８】
0004166998.tif 000009
【図９】
0004166998.tif 000010
【図１０】
0004166998.tif 000011
【図１１】
0004166998.tif 000012
【図１２】
0004166998.tif 000013
【図１３】
0004166998.tif 000014
【図１４】
0004166998.tif 000015
【図１５】
0004166998.tif 000016
【図１６】
0004166998.tif 000017
【図１７】
0004166998.tif 000018
【図１８】
0004166998.tif 000019